(57)【特許請求の範囲】
【請求項１】
液体を霧化して噴出するための噴霧器において液体を霧化するために使用され、複数個の貫通孔を有する噴霧器用メッシュであって、該貫通孔はメッシュの出口面側において狭くなるテーパー形状を有しており、該出口面側における該貫通孔のテーパー角度は３〜２０度であり、且つ白金を主成分とする、噴霧器用メッシュ。
【請求項２】
厚さが１０μｍ以上３００μｍ以下である請求項１に記載の噴霧器用メッシュ。
【請求項３】
前記貫通孔の出口面側の口径が１．５μｍ以上６μｍ以下である請求項１または２に記載の噴霧器用メッシュ。
【請求項４】
噴霧器用メッシュから噴霧される粒子の平均粒子径が３〜６μｍである請求項１〜３のいずれか１項に記載の噴霧器用メッシュ。
【発明の詳細な説明】
【技術分野】
【０００１】
本発明は、呼吸器系疾患の治療などに使用される噴霧機用メッシュおよびその製造方法に関する。より詳しくは、液体を霧化して噴出するための噴霧器において、液体の霧化および粒子径の制御のために使用され、かつ複数個の貫通孔を有する噴霧器用メッシュに関する。
【背景技術】
【０００２】
呼吸器系疾患の治療に使用される噴霧器には、治療効果の向上のため、薬液を目的の患部まで効率よく到達させる性能が要求される。噴霧される薬液の粒子はその粒子径が小さくなれば気管支、その奥の細気管支、さらには肺胞へと到達することが可能となる。また、十分な噴霧量を確保することで、治療効果を高めることができる。したがって、噴霧器の性能を向上させるためには、噴霧器から噴霧される薬液の粒子径を小さくし、かつ噴霧量を多くすることが必要である。
【０００３】
噴霧器用メッシュの貫通孔の断面形状としては、例えば、放物線状のものが提案されている（非特許文献１）。これにより、流体抵抗を小さくすることができ、噴霧効率が向上する。また、メッシュノズルの両面側からそれぞれ厚みの中心部に向かって先細な断面テーパーもしくは階段状の断面形状のものが提案されている（特許文献１）。これにより、異物が孔に詰まっても、噴霧器用メッシュをさかさまにして使用すれば異物が吹き飛ばされるため、容易に目詰まりを解消できる。
【０００４】
噴霧器用メッシュの孔加工には、従来主に電鋳法が用いられてきた（特許文献２）。また、特許文献３および非特許文献２には、レーザー照射により、孔の断面形状を階段状、または滑らかなテーパー状とするメッシュ孔の加工方法が開示されている。
【０００５】
特許文献４には、テーパー形状を有する貫通孔を有し、貫通孔のテーパー角度が４０度以上である噴霧器用メッシュノズルが記載されており、貫通孔のテーパー角度を４０度以上とすることにより、貫通孔１つあたりの噴霧量を多くできることが開示されている。
【０００６】
従来より金属製のメッシュとしてパラジウム−ニッケル合金が用いられている（特許文献５）。また、特許文献６には、ニッケル製の板を金、白金、パラジウム、ロジウムその他の金属等からなる薄膜で表面を覆った超音波噴霧振動板が開示されている。
【０００７】
さらに、メッシュを有する噴霧器は医療器具または美容器等であり、そのメッシュは薬液または化粧料等の液体に直接触れるという性質上、衛生的な観点から短期で取り替えられて清潔に保たれることが好ましい。したがって、メッシュの短期交換を可能にするため、メッシュを低価格化することも課題となっている。そのため、低価格化が可能なセラミック等の樹脂も噴霧器用メッシュの材料として用いられている（非特許文献１および特許文献１）。
【先行技術文献】
【特許文献】
【０００８】
【特許文献１】特許第２７９００１４号公報
【特許文献２】特開平９−３２３０５４号公報
【特許文献３】特開平７−１１７２号公報
【特許文献４】特開２００６−２９７２２６号公報
【特許文献５】特開２００８−２８９９０３号公報
【特許文献６】特開平６−３２００８４号公報
【非特許文献】
【０００９】
【非特許文献１】ＯＭＲＯＮ  ＴＥＣＨＮＩＣＳ、Ｖｏｌ．４２、ｐ１７１−１７４
【非特許文献２】電気学会論文誌Ｅ１１７巻１号、ｐ１５−１９
【発明の概要】
【発明が解決しようとする課題】
【００１０】
上記した従来のメッシュの貫通孔の形状は、噴霧粒子径を小さくし、噴霧量を高めるために最適な形状を詳細に検討した結果提案されたものではない。
【００１１】
また、特許文献３には、貫通孔のテーパー角度を４０度以上とすることにより、貫通孔１つあたりの噴霧量を多くすることができる、と記載されているが、テーパー角度を大きくすると、噴霧される粒子の粒子径が大きくなり治療効果が下がるという課題があることがわかった。
【００１２】
噴霧粒子径を小さくするためには、メッシュノズルの出口径を小さくすることが有効であるとされていたが、単に出口径を小さくするのみでは薬液等の液体の吐出抵抗が大きくなるため噴霧量が低下し、全体として治療効果等の液体による効果が低下するおそれがある。
【００１３】
また、吐出抵抗を小さくするためにはメッシュの厚さを小さくする対策がとられる。しかし、厚さの小さいメッシュは剛性が不十分となりやすく、剛性が不足するとメッシュそのものがたわんでしまうため、それぞれの孔を満たす薬液等の液体に十分な圧力をかけることができず、噴霧量が低下する。
【００１４】
さらに、従来のメッシュはその素材に着目して開発されたものではなく、例えば、非特許文献１および特許文献１に記載のメッシュはセラミック製であり、一般に用いられている金属製のメッシュノズルと比較して剛性に欠ける。
【００１５】
金属製のメッシュノズルとしては、特許文献４および５に開示されているように、従来よりパラジウム−ニッケル合金またはニッケルが用いられているが、Ｎｉは金属アレルギーを引き起こし易い金属の一つであり、ＷＨＯの下部組織ＩＡＲＣはニッケル化合物を「Ｇｒｏｕｐ１：ヒトに対する発がん性が認められる化学物質」としていることもあり、安全性の面で問題がある。
【００１６】
したがって、本発明は、噴霧される粒子の平均粒子径（以下、噴霧粒子径）を薬液等の液体を肺胞等の標的器官に届く最適な粒子径とするとともに、噴霧量を高めて治療効果を向上させるとともに、安全性および剛性を確保する、噴霧器用メッシュを提供することを課題とする。
【課題を解決するための手段】
【００１７】
本発明者らは、上記課題を解決するため鋭意研究した結果、噴霧器用メッシュに形成する貫通孔の形状をテーパー形状とし、テーパー角度を特定範囲とするとともに、白金を主成分とすることにより、噴霧粒子径を小さくできるとともに十分な噴霧量および剛性を確保できることを見出し、本発明を完成させた。
【００１８】
すなわち、本発明は以下である。
１．液体を霧化して噴出するための噴霧器において液体を霧化するために使用され、複数個の貫通孔を有する噴霧器用メッシュであって、該貫通孔はメッシュの出口面側において狭くなるテーパー形状を有しており、該出口面側における該貫通孔のテーパー角度は３〜２０度であり、且つ白金を主成分とする、噴霧器用メッシュ。
２．厚さが１０μｍ以上３００μｍ以下である前項１に記載の噴霧器用メッシュ。
３．前記貫通孔の出口面側の口径が１．５μｍ以上６μｍ以下である前項１または２に記載の噴霧器用メッシュ。
４．噴霧器用メッシュから噴霧される粒子の平均粒子径が３〜６μｍである前項１〜３のいずれか１項に記載の噴霧器用メッシュ。
【発明の効果】
【００１９】
本発明の噴霧器用メッシュによれば、噴霧粒子径を薬液等の液体が肺胞等の標的器官に届く最適な粒子径とすることができるとともに、十分な噴霧量および剛性を確保できる。
【図面の簡単な説明】
【００２０】
【図１】本発明の一実施の形態における吸入器の構造を示す概略断面図である。
【図２】本実施の形態におけるメッシュの外観を示す斜視図（ａ）および部分拡大図（ｂ）である。
【図３Ａ】メッシュの貫通孔の出口を通り、吐出方向に平行な断面を示す概略部分断面図である。
【図３Ｂ】テーパー角度θ１の求め方を示す概略部分断面図である。
【図４】貫通孔の形状を示した概略斜視図である。
【図５】貫通孔の形状を示した概略斜視図である。
【図６】メッシュの貫通孔の出口を通り、吐出方向に平行な断面を示す概略部分断面図である。
【図７】貫通孔の形状を示した概略斜視図である。
【図８】貫通孔の形状を示した概略斜視図である。
【図９】貫通孔の形状を示した概略斜視図である。
【図１０】貫通孔の形状を示した概略斜視図である。
【図１１】加工工法の違いによるレーザー加工品の優位性を示す図である。
【図１２】本発明の噴霧器用メッシュの製造方法を説明するための図である。
【図１３】貫通孔を走査型電子顕微鏡（１０００倍）により撮影した画像を示す図である（実施例１）。
【図１４】貫通孔を走査型電子顕微鏡（１０００倍）により撮影した画像を示す図である（実施例２）。
【図１５】貫通孔を走査型電子顕微鏡（１０００倍）により撮影した画像を示す図である（実施例３）。
【図１６】貫通孔を走査型電子顕微鏡（１０００倍）により撮影した画像を示す図である（実施例４）。
【図１７】貫通孔を走査型電子顕微鏡（１０００倍）により撮影した画像を示す図である（参考例）。
【発明を実施するための形態】
【００２１】
以下に、本発明を実施するための最良の形態を説明する。
【００２２】
図１に本発明を実施するための最良の噴霧器の構成を示すが、これら構成により何ら限定されるものではない。図１は、本発明の噴霧器用メッシュ（以下、メッシュともいう）を、超音波振動式の噴霧式の吸入器（噴霧器）１０に用いた場合の構成を示す概略断面図である。吸入器１０は、複数の微細な貫通孔を有する図２に示すようなメッシュ１１がケーシング１２の内部に固定されており、メッシュ１１の下面には振動子１３の上面が押し当てられており、振動子１３の端部はタンク１４内に保持された液体１５と接触できる構造になっている。また、メッシュ１１はメッシュ支持具１６によって保持されている。
【００２３】
吸入器１０に用いられるメッシュ１１は、液体１５を微粒化（霧化）するため、図２に示すように十分微細な多数の貫通孔１７で構成される。図２は、メッシュ１１の外観を示す斜視図（ａ）および部分拡大図（ｂ）である。図２（ａ）に示すように、メッシュ１１は、板状の外形を有している。また、図２（ｂ）に示すように、メッシュ１１は、複数の貫通孔１７を有している。
【００２４】
振動子１３を上下に振動させると、メッシュ支持具１６によって振動子１３に適当な力で押し付けられたメッシュ１１は振動子１３の微小振動によって共振する。メッシュ１１が共振すると、メッシュ１１と振動子１３の間に負圧が生じるので、タンク１４内の液体１５は振動子１３の上面へ吸上げられる。こうしてメッシュ１１と振動子１３の間へ吸い上げられた液体１５はメッシュ１１の振動によって微細な貫通孔１７を通過し、霧化された液体１５が外気中へ噴出される。
【００２５】
図３は、メッシュ１１の貫通孔１７の出口を通り、吐出方向に平行な断面を示す概略部分断面図である。また、図４および図５は貫通孔１７の形状を示す概略斜視図である。図３に示すように、本発明のメッシュ１１の貫通孔１７は、噴霧方向のメッシュの出口面１１Ａ側においてメッシュの入口面１１Ｂ側より狭くなるテーパー形状を有している。
【００２６】
本発明において、貫通孔がテーパー形状であるとは、貫通孔の出口面側の孔径がメッシュの入口面側の孔径より小さいことをいう。貫通孔１７の形状はテーパー形状であれば特に限定されず、例えば、円錐状、角錐状、中折れした円錐状、中折れした角錐状または階段状等が挙げられる。
【００２７】
テーパー角度θ１は、出口面側の孔径および入口面側の孔径を走査型電子顕微鏡で測定し、算出する（図３Ａ）。具体的には、次のように算出する。作製されたメッシュノズルのＳＥＭ（走査型電子顕微鏡）画像から、任意に抽出した１０個の穴の入口面１１Ｂ側（長径の方）及び出口面１１Ａ側（短径の方）の穴面積の平均値を算出し、その平均値から算出される真円相等径をそれぞれの穴径とする。算出された入口面１１Ｂ側の穴径（入射径）及び出口面１１Ａ側の穴径（出射径）から、下記式によりテーパー角度を算出する（図３Ｂ）。
【００２８】
入射径ｘ・出射径ｙ＝√（２×穴面積／π）
θＲａｄｉａｎｓ＝ｔａｎ−１（ｂ／ａ）
θＤｅｇｒｅｅｓ＝θＲａｄｉａｎｓ×１８０／π
テーパー角度＝２θＤｅｇｒｅｅｓ
ｂ＝入射径ｘ−出射径ｙ
テーパー角度θ１＝２×ｔａｎ−１［（入射径ｘ−出射径ｙ）／基材の厚さａ］×１８０／π
【００２９】
貫通孔１７の出口面１１Ａ側におけるテーパー角度θ１は３〜３０度であり、好ましくは３〜２０度であり、より好ましくは３〜１０度である。噴霧器用メッシュから噴霧される粒子の平均粒子径（噴霧粒子径）はメッシュの貫通孔１７の体積に依存しているため、出口面１１Ａ側における該貫通孔１７の口径が同じでもテーパー角度が大きいと噴霧される液体の押出し体積が増えるために噴霧粒子径は大きくなる。
【００３０】
本発明の噴霧器用メッシュは、出口面１１Ａ側における該貫通孔１７のテーパー角度θ１を３〜２０度と小さくすることで、噴霧される液体の押出し体積を低減することができる。噴霧される液体の押出し体積の減少により、薬液等の液体が肺胞等の標的器官に届く最適な粒子径（３〜６μｍ）の場合の出口径を大きくすることが可能となり、貫通孔の加工が容易となる。
【００３１】
また、本発明の噴霧器用メッシュは、テーパー角度θ１が３〜２０度と小さいので、液体が噴霧される際の吐出抵抗を小さくすることができ、液詰まりを低減できるとともに、十分な噴霧量が達成される。さらに、吐出抵抗を小さくすることができるため、メッシュの厚さを厚くすることが可能になり、剛性を確保することができる。
【００３２】
テーパー角度θ１が３０度を超えると、単位時間あたりの噴霧量は増えるが、噴霧粒子が増大し、薬液を肺胞に届く噴霧粒子径とすることが困難となる。また、液体が噴霧される際の吐出抵抗が大きくなり液詰まりが生じ易くなり、噴霧量の低下につながるおそれがある。テーパー角度θ１が３度未満であると、噴霧された粒子が表面張力により戻り易くなり、噴霧量の低下につながるおそれがある。
【００３３】
貫通孔１７の形状は、例えば、図４に示すように円錐状の形状とすることができる。これにより、貫通孔１７からの噴霧粒子径を小さくすることができる。
【００３４】
貫通孔１７の形状は、図５に示すように角錐状であってもよい。なお、図５の貫通孔１７は入口径Ｌ１、出口径Ｌ２を有する。また、出口面１１Ａ側におけるテーパー角度θ１は底面の向い合う辺の中点をそれぞれｍおよびｎとし、頂点をＰとして∠ｍＰｎである。
【００３５】
図５は入口および出口が正方形の場合について示しているが、一般的な多角形においては多角形の重心を通り、重心と重心に最も近い辺の中点とを通る直線が多角形の辺と交わる２点間の距離でＬ１およびＬ２は定義される。また、テーパー角度θ１は上記の直線が多角形の辺と交わる２点を上記ｍおよびｎとし、頂点をＰとして∠ｍＰｎで定義される。
【００３６】
図６はメッシュ１１の貫通孔１７の出口を通り、吐出方向に平行な断面を示す概略部分断面図である。また、図７〜１０は貫通孔の形状を示した概略斜視図である。
【００３７】
図３ではメッシュ１１の貫通孔１７の壁面が入口から出口まで直線状である場合について説明したが、図６に示すように貫通孔１７の断面形状は出口面１１Ａ側において第１のテーパー角度θ１を有し、かつメッシュノズルの入口面１１Ｂ側において第１のテーパー角度θ１より小さい第２のテーパー角度θ２を有する中折れした形状を有していてもよい。
【００３８】
この中折れした貫通孔１７の形状は図７に示すように中折れした円錐状であってもよい。つまり、第１のテーパー角度θ１を有する部分と第２のテーパー角度θ２を有する部分との双方が円錐状であってもよい。
【００３９】
また、中折れした貫通孔１７の形状は、図８に示すように中折れした角錐状であってもよい。つまり、第１のテーパー角度θ１を有する部分と第２のテーパー角度θ２を有する部分との双方が角錐状であってもよい。
【００４０】
さらに、この中折れした貫通孔１７の形状は図９に示すように第２のテーパー角度を有する部分において円柱状で、かつ第１のテーパー角度を有する部分において円錐状の形状を有していてもよいし、図１０に示すように第２のテーパー角度を有する部分において角柱状で、かつ第１のテーパー角度を有する部分において角錐状の形状を有していてもよい。
【００４１】
上記の図５〜図１０に示す各貫通孔１７におけるテーパー角度θ１は適宜選択することができるが、３〜３０度であることが好ましい。なお、図８および図１０に示す貫通孔１７の角錐部の入口径および出口径の各々は図５と同様、図中の入口径Ｌ１および出口径Ｌ２により決定される。
【００４２】
また、図８に示す貫通孔１７のテーパー角度θ１、θ２と図１０に示す貫通孔１７のテーパー角度θ１とは、図５と同様、底面の向い合う辺の中点をそれぞれｍおよびｎとし、頂点をＰとしたとき、∠ｍＰｎで決定される。
【００４３】
本発明の噴霧器用メッシュは白金を主成分とする。白金を主成分とするとは、噴霧器用メッシュを構成する材料に含まれる白金の含有量が５０質量％以上であることを示す。噴霧器用メッシュを構成する材料に含まれる白金の含有量は、５０質量％以上であり、好ましくは７０質量％以上、より好ましくは９０質量％以上である。
【００４４】
噴霧器用メッシュを構成する材料に含まれる白金以外のその他の成分としては、例えば、貴金属の金、銀、イリジウム、ロジウム、ルテニウム、パラジウム、バルブ金属のチタン、ジルコニウム、ハフニウム、ニオブ、タンタル、亜鉛、タングステンおよびビスマスが挙げられる。
【００４５】
本発明の噴霧器用メッシュは、他の金属と比較して比重の高い白金を主成分としている。白金の比重は２１．４５ｇ／ｃｍ３であり、例えば従来噴霧器用メッシュの材料として用いられてきたニッケルの比重は８．９０２ｇ／ｃｍ３、パラジウムの比重は１２．０２ｇ／ｃｍ３である。運動エネルギーはＫ＝１／２×（ｍｖ）２（式中、ｍは質量、ｖは速さ）で表され、質量が大きければ大きいほど運動エネルギーが大きくなる。そのため、その他の金属と比較して比重の高い白金を主成分とすることにより、液体を噴霧する際に高い運動エネルギーを得ることができ、テーパー角度を小さく設定しても粘性の高い液体や比重の大きな液体を噴霧することができ、液種の影響が小さく安定した噴霧と噴霧量の増大を可能にするものと推定される。
【００４６】
また、本発明の噴霧器用メッシュは白金を主成分とすることにより、金属アレルギーまたは発がん性の観点から高い生体安全性を備えている。さらに白金を主成分とすることにより、剛性が担保され、噴霧器用メッシュの厚みを薄くすることが可能となり、メッシュの厚みを薄くすることにより液抵抗が低減され、より噴霧し易くなるため、噴霧量を向上することができる。
【００４７】
本発明の噴霧器用メッシュの厚みは、１０μｍ以上であることが好ましく、１５μｍ以上であることがより好ましく、２０μｍ以上であることがさらに好ましく、また３００μｍ以下であることが好ましく、１００μｍ以下であることがより好ましく、５０μｍ以下であることがさらに好ましい。噴霧器用メッシュの厚みを１０μｍ以上とすることにより、十分な強度を確保することができる。また、３００μｍ以下とすることにより、白金密度が高くなることに伴い慣性質量が重くなるのを防ぎ、超音波振動への追従性が悪くなるのを抑制することができる。
【００４８】
本発明の噴霧器用メッシュにおける貫通孔１７の数は、特に限定されず、液体１５の種類および目的等により適宜設定することができるが、通常１００以上であることが好ましく、より好ましくは１０００以上であり、さらに好ましくは１００００以上である。
【００４９】
本発明の噴霧器用メッシュにおける貫通孔１７の出口面側の口径は１．５μｍ以上であることが好ましく、２μｍ以上であることがより好ましく、２．５μｍ以上であることがさらに好ましい。また、６μｍ以下であることが好ましく、５μｍ以下であることがより好ましく、４μｍ以下であることがさらに好ましい。
【００５０】
本発明の噴霧器用メッシュよる噴霧粒子径は、３〜６μｍであることが好ましく、３．５〜５．５μｍであることがより好ましく、４．０〜５．０μｍであることがさらに好ましい。噴霧粒子径を３〜６μｍとすることにより、治療効果等の液体による効果をより向上することができ、例えば薬液を肺胞等の標的器官に届く最適な粒子径とすることができる。
【００５１】
噴霧器用メッシュから噴霧される粒子の平均粒子径は、次の方法により測定する。ホーン振動体を備える噴霧器に作製されたメッシュノズルを設置し、振動体とメッシュノズルとが接触している領域に液体として生理食塩水を供給し霧化させる。噴霧される粒子の平均粒子径を、粒子径測定装置を用いてレーザー光回折法により測定する。具体的には、実施例において詳述する方法により測定することができる。
【００５２】
本発明の噴霧器用メッシュは孔加工の手法としてレーザー加工を行うことにより製造することができる。電鋳法とレーザー法による加工品を比較した図を図１１に示す。図１１に示すように、超音波素子によりメッシュが上下に振幅する。振幅幅が大きくなれば、貫通孔１７から押し出される液体１５の量も増え、噴霧粒子径が大きくなる。
【００５３】
電鋳品はテーパー角度が大きく形状が制御できないため、噴霧粒子径を小さくするには、貫通孔１７の口径を極端に小さくする必要がある。このように、電鋳法では口径およびテーパー角度の制御が困難であるが、レーザー加工では、条件を変えることで口径・テーパー角度の制御を行うことができる。
【００５４】
一方、レーザー法による加工品は、テーパー角度を３〜３０度の形状に加工できるため、口径を小さくする必要がない、という利点がある。口径を小さくする必要がないため、薬液等の液体の孔詰まりを防止することも可能である。
【００５５】
レーザー法に用いるレーザーとしては、波長による分類では、例えば、紫外線レーザー、赤外線レーザー、可視光線レーザーおよびＸ線レーザー等が挙げられる。レーザーの種類等の条件は、加工材質や加工目的に合わせて最適な条件を適宜選定することができるが、白金を主成分とする本発明の噴霧器用メッシュの加工では、白金の吸収波長の観点から、紫外線レーザーが適している。紫外線レーザーとは、４００ｎｍ未満の紫外領域の波長のレーザーである。また媒体による分類では、例えば、ＹＡＧレーザー、希土類添加ＹＡＧレーザー、ルビーレーザーおよびチタンサファイヤレーザー等の固体レーザー、有機色素を媒質とした色素レーザー等の液体レーザー、並びにエキシマレーザー等のガスレーザー等が挙げられる。中でも固体レーザーが好ましく用いられる。
【００５６】
また、光学系の種類としては、例えば、固定光学系（集光光学系）、スキャニング光学系、結像光学系（マスク光学系）が挙げられるが、位置精度と再現性の観点から結像光学系が好ましい。
【００５７】
本発明の噴霧器用メッシュの製造方法では、白金を主成分とする平板状部材に、レーザーを照射し、複数の断面テーパー状の貫通孔を形成する。具体例としては、次のような方法が挙げられる。図１２に示すように、微細孔のテーパー系を数段階（図１２では５段階）に分けた径を持つ円形の窓ａ１、・・・、ａ５を有する加工マスク１８を用いる。ただし、説明し易くするため、ここでは１枚のマスク１８に５つの窓を示してあるが、実際には各窓がそれぞれ別個に設けられた５枚のマスクを用意し、マスクを順次取り替えて製造する。
【００５８】
窓ａ１、・・・、ａ５のうち、窓ａ１は微細孔の入口面側に、窓ａ５は出口面側に、窓ａ２，ａ３，ａ４は途中の部分に対応する。まず、所定の厚みおよび大きさの白金を主成分とする平板状部材１９に、最初に加工マスク１８の窓ａ１を利用してレーザーを照射する。レーザーは窓ａ１により照射径が絞られているため、平板状部材１９には窓ａ１と同径の穴ｂ１が形成される。レーザー照射は、穴ｂ１が所定の深さになるまで続けられる。
【００５９】
その後、今度は窓ａ１からレーザーを照射し、穴ｂ１よりも深い穴ｂ２を形成する。同意に、穴ａ３，穴ａ４を利用してレーザーを照射し、それぞれ穴ｂ３，ｂ４を開ける。そして、窓ａ５からレーザーを照射して穴ｂ５を形成し、平板状部材１９の入口面側から出口面側に貫通する孔を開ける。これにより、穴ｂ１から穴ｂ５に従って段階的に径の小さいテーパー状の微細孔が形成される。
【００６０】
ここで、加工の寸法例を示すと、平板状部材１９の厚みは２０μｍ、穴ｂ１の径は３．５〜６．５μｍ、穴ｂ５の径は２．５μｍである。このような製造方法により、精度の良い微細孔を持つ白金を主成分とするメッシュ部材を提供することができる。
【００６１】
なお、前記の製造方法の具体例では、微細孔を５段階に分割して形成しているが、段階数はこれよりも多くても少なくてもよく、適宜選定することができる。また、加工マスク１８の窓の径、窓の数により様々な断面テーパー状の微細孔を形成することができる。
【００６２】
本発明の噴霧器用メッシュは、白金を主成分とする人体に安全な素材によって作成することにより、図１に示すような吸入器等の医療用機器に用いることができ、また、美顔器等の美容用機器に用いてもよい。
【００６３】
特に吸入器の場合、噴霧粒子径によって患部への到達距離が変化するため患部への効果が変わり、噴霧粒子径はテーパー角度およびメッシュ孔の形状に大きく左右されるが、本発明においては噴霧に最適な断面形状のメッシュ孔を得ることができる。
【００６４】
さらに、振動子の周派数が同じでも患部用途に応じてテーパー角度およびメッシュ孔の形状を変化させることができ、同一の吸入器でもメッシュを交換するだけで複数箇所の患部に使用することが可能となる。
【００６５】
本発明において、噴霧器用メッシュを適用する「液体」とは、例えば、有機物、無機物およびこれらの溶液、並びに有機物、無機物、セラミックスおよびこれらのスラリー状の液状物をいう。好ましくは有機物および／または無機物の水溶液が液体として用いられる。液体としては、例えば、薬液、化粧料等が挙げられる。
【実施例】
【００６６】
以下、実施例により本発明を説明するが、本発明はそれに限定されるものではない。尚、実施例で用いた評価方法は以下の通りである。
【００６７】
〔実施例１〜４、参考例、実施例６〜７〕
固体紫外線レーザー発信器（ＪＤＳ  Ｕｎｉｐｈａｓｅ  Ｃｏｒｐｏｒａｔｉｏｎ製、製品名：Ｑ３０１−ＨＤ）を用い波長３５５ｎｍのレーザーにより、厚さ２０μｍの金属基材（白金圧延箔）に表１に示す加工段数で１万個の貫通孔を形成し噴霧器用メッシュを作製した（実施例１〜４、参考例、実施例６〜７）。
【００６８】
〔比較例１〕
金属基材としてＰｄ（７５％）−Ａｇ（２５％）（ニラコ社製）を用いたこと以外は、実施例１と同様にして噴霧器メッシュを作成した。
【００６９】
〔比較例２〕
レジストを形成した銅版に電鋳法により多穴（１万個）の白金鍍金層を形成した後、銅板とレジストを剥離させることにより厚さ２０μｍの白金製の噴霧器用メッシュを作製した（特開平９−３２３０５４号公報）。
【００７０】
作製した噴霧器用メッシュについて、以下に示す方法により、テーパー角度および噴霧平均粒子径の測定を行った。
【００７１】
（テーパー角度）
テーパー角度は、作製したメッシュノズルのＳＥＭ（走査型電子顕微鏡）画像から、任意に抽出した１０個の穴の入口面側（長径の方）及び出口面側（短径の方）の穴面積の平均値を算出し、その平均値から算出される真円相等径をそれぞれの穴径とした。算出された入口面側の穴径（入射径ｘ）及び出口面側の穴径（出射径ｙ）から、下記式によりテーパー角度を算出した。
【００７２】
入射径ｘ・出射径ｙ＝√（２×穴面積／π）
θＲａｄｉａｎｓ＝ｔａｎ−１（ｂ／ａ）
θＤｅｇｒｅｅｓ＝θＲａｄｉａｎｓ×１８０／π
テーパー角度＝２θＤｅｇｒｅｅｓ
ｂ＝入射径ｘ−出射径ｙ
テーパー角度θ１＝２×ｔａｎ−１［（入射径ｘ−出射径ｙ）／基材の厚さａ］×１８０／π
【００７３】
〔噴霧粒子径の測定〕
ホーン振動体を備える噴霧器（オムロン社製、製品名：ＮＥ−Ｕ２２）に作製されたメッシュを設置し、振動体とメッシュとが接触している領域に液体として生理食塩水を供給し霧化させ、噴霧粒子の平均粒子径（噴霧粒子径）を粒子径測定装置（ＳＹＭＰＡＴＥＣ社製、製品名：ＨＥＬＯＳ／ＢＲ−Ｍｕｌｔｉ）を用いレーザー光回折法により測定した。
【００７４】
結果を表１に示す。また、実施例１〜４、参考例について、走査型電子顕微鏡により撮影した入射側（入口面側）および出射側（出口面側）の画像のデータをそれぞれ図１３〜１７に示す。表１において、全貫通孔に対する非貫通孔の割合が０．１％以下である場合に穴加工不良が「無」とし、全貫通孔に対する非貫通孔の割合が０．１％を超える場合に穴加工不良が「有」とした。また、噴霧粒子径の測定において噴霧された液体によるレーザー光の強度が９９．７％未満である場合に噴霧不良が「無」とし、噴霧粒子径の測定において噴霧された液体によるレーザー光の強度が９９．７％以上である場合に噴霧不良が「有」とした。
【００７５】
【表１】
0005157000.tif 000002
【００７６】
表１に示すように、実施例１〜４、参考例、実施例６〜７の噴霧器用メッシュは全て穴が開いており、穴径のバラツキなどの穴加工不良は発見されなかった。一方、Ｐｄ−Ａｇ圧延箔を基材とする比較例１の噴霧器用メッシュは全て穴が開いており、穴径のバラツキなどの穴加工不良は発見されなかったが、噴霧不良があり噴霧平均粒子径の計測不可であった。また、電鋳法により製造した比較例２の噴霧器用メッシュは、穴径がバラツキがあり、さらには１％程度の穴の開いていない箇所が確認され、穴加工不良が発見された。
【００７７】
これらの結果から、本発明の噴霧器用メッシュは、穴加工不良が無いとともに粒子径が３〜２０μｍである粒子を噴霧不良を起こすことなく噴霧できることがわかった。
【産業上の利用可能性】
【００７８】
本発明の噴霧器用メッシュは、吸入器等の医療用機器、および美顔器等の美容用機器などに用いることができる。
【符号の説明】
【００７９】
１０  吸入器
１１  メッシュ
１２  ケーシング
１３  振動子
１４  タンク
１５  液体
１６  メッシュ支持具
１７  貫通孔
１８  マスク
１９  平板状部材
【要約】      （修正有）【課題】噴霧器による肺胞に到達可能な噴霧粒子径を確保し、噴霧量を高めて治療効果を向上させるとともに、安全性および剛性を確保する、噴霧器用メッシュを提供する。【解決手段】液体を霧化して噴出するための噴霧器において液体を霧化するために使用され、複数個の貫通孔１７を有する噴霧器用メッシュ１１であって、該貫通孔１７はメッシュの出口面側において狭くなるテーパー形状を有しており、該出口面側における該貫通孔のテーパー角度は３〜３０度であり、且つ白金を主成分とする、噴霧器用メッシュに関する。【選択図】図３Ａ【図１】
0005157000.tif 000003
【図２】
0005157000.tif 000004
【図３Ａ】
0005157000.tif 000005
【図３Ｂ】
0005157000.tif 000006
【図４】
0005157000.tif 000007
【図５】
0005157000.tif 000008
【図６】
0005157000.tif 000009
【図７】
0005157000.tif 000010
【図８】
0005157000.tif 000011
【図９】
0005157000.tif 000012
【図１０】
0005157000.tif 000013
【図１１】
0005157000.tif 000014
【図１２】
0005157000.tif 000015
【図１３】
0005157000.tif 000016
【図１４】
0005157000.tif 000017
【図１５】
0005157000.tif 000018
【図１６】
0005157000.tif 000019
【図１７】
0005157000.tif 000020